(57)【要約】 【課題】サッシ重量や拡張幅が大きい場合であっても、既存建物の耐震性に影響を及ぼさず、なおかつ合理的な費用で増床を可能にする。【解決手段】本発明に係る増床ユニット１は、上部ユニット本体３と該上部ユニット本体の下方に配置された下部ユニット本体２とを備える。下部ユニット本体２は、矩形状の増設床部８と、該増設床部の屋外側周縁のうち、側方の周縁に立設された一対の腰壁部材９ａ，９ａ、及び正面の周縁に立設された腰壁部材９ｂとからなる腰壁部とで構成してあり、該腰壁部は、全体としてコの字状の水平断面をなす。腰壁部材９ａは、三段に組まれた軸組６ａの屋外側側面に構造用合板１０を、室内側側面に構造用合板１１をそれぞれ貼り付けて構成してあるとともに、腰壁部材９ｂは、二段に組まれた軸組６ｂの屋外側側面に構造用合板１０を、室内側側面に構造用合板１１をそれぞれ貼り付けて構成してある。【選択図】  図１
2010037738.tif 000002
【特許請求の範囲】
【請求項１】
窓が組み込まれた上部ユニット本体と、該上部ユニット本体の下方に配置され増設床部及び該増設床部の屋外側周縁に立設された腰壁部からなる下部ユニット本体とを備えるとともに、前記腰壁部の上縁を前記上部ユニット本体の下縁に連結した増床ユニットであって、前記腰壁部を構造用合板を用いて構成したことを特徴とする増床ユニット。
【請求項２】
前記構造用合板を軸組の少なくとも一方の側に貼り付けることで前記腰壁部を構成した請求項１記載の増床ユニット。
【請求項３】
請求項１又は請求項２記載の増床ユニットを、一対の補剛柱及びそれらの頂部に架け渡された補剛梁からなる門型フレームを介して建物躯体に取り付ける増床ユニットの取付け構造であって、前記下部ユニット本体を構成する腰壁部の建物側縁部を前記一対の補剛柱にそれぞれ接合するとともに、前記建物躯体を構成する一対の柱及びそれらの頂部に架け渡された梁を含む構面内に前記門型フレームを配置し、前記各補剛柱の外側側面と前記各柱の内側側面とを接着するとともに、前記補剛梁の上面と前記梁の下面とを接着したことを特徴とする増床ユニットの取付け構造。
【請求項４】
前記柱と前記梁との接合部及び前記補剛柱と前記補剛梁との接合部にそれらの接合部が両側方から挟み込まれるようにして一対の構造用合板を接着した請求項３記載の取付け構造。
【発明の詳細な説明】
【技術分野】
【０００１】
本発明は、主として既存建物の増床を行う際に適用される増床ユニット及びその取付け構造に関する。
【背景技術】
【０００２】
住宅においては、リビング、ダイニング、書斎、寝室といった居室はもちろんのこと、バスルーム等についても、増床によって居住空間を拡大し、快適性を高めたいというニーズが高く、床面積を拡張するための増床工事がリフォームの一環として行われることが少なくない。
【０００３】
また、増床後において外壁となる箇所には、窓を設置することが多いが、かかる窓は、出窓と同様の効果を生み、増床による効果と相俟って空間の拡がりや開放感がさらに向上する。
【０００４】
このような増床工事は、従来、二階居室であれば、建物躯体に張出梁を設けて該張出梁に増床部分を支持させ、一階居室であれば、増設した基礎に増床部分を支持させることで対応していた。
【０００５】
【特許文献１】特開２０００−３３７０３１号公報
【特許文献２】特開２００１−３２９６３６号公報
【発明の開示】
【発明が解決しようとする課題】
【０００６】
しかしながら、張出梁を設けるには、建物の外壁のみならず、二階床板や一階天井を適宜撤去して既存の柱梁を露出させた上、補強を施しながら該柱梁に張出梁を連結しなければならず、経済的な合理性の面で本来的に設置が難しいという問題を生じていた。
【０００７】
一方、昨今のリフォーム工事では、複層ガラスの採用によってサッシ全体の重量が増加し、あるいは増床スペースの拡張幅が大きくなる傾向にあるため、張出梁の荷重負担がますます厳しくなり、上述した問題はさらに深刻となる。
【０００８】
また、一階においても、増床部分の荷重を支持するための基礎工事に費用がかさみ、結局は増床工事の断念を余儀なくされていた。
【０００９】
加えて、増床工事のために既存の壁を取り除いた部分は、必然的に開口部となって耐力壁を配置できなくなり、結果として建物全体に耐力壁をバランスよく配置することができないという問題も生じていた。
【課題を解決するための手段】
【００１０】
本発明は、上述した事情を考慮してなされたもので、サッシ重量や拡張幅が大きい場合であっても、既存建物の耐震性に影響を及ぼさず、なおかつ合理的な費用で増床が可能な増床ユニット及びその取付け構造を提供することを目的とする。
【００１１】
上記目的を達成するため、本発明に係る増床ユニットは請求項１に記載したように、窓が組み込まれた上部ユニット本体と、該上部ユニット本体の下方に配置され増設床部及び該増設床部の屋外側周縁に立設された腰壁部からなる下部ユニット本体とを備えるとともに、前記腰壁部の上縁を前記上部ユニット本体の下縁に連結した増床ユニットであって、前記腰壁部を構造用合板を用いて構成したものである。
【００１２】
また、本発明に係る増床ユニットは請求項２に記載したように、前記構造用合板を軸組の少なくとも一方の側に貼り付けることで前記腰壁部を構成したものである。
【００１３】
また、本発明に係る増床ユニットの取付け構造は請求項３に記載したように、請求項１又は請求項２記載の増床ユニットを、一対の補剛柱及びそれらの頂部に架け渡された補剛梁からなる門型フレームを介して建物躯体に取り付ける増床ユニットの取付け構造であって、前記下部ユニット本体を構成する腰壁部の建物側縁部を前記一対の補剛柱にそれぞれ接合するとともに、前記建物躯体を構成する一対の柱及びそれらの頂部に架け渡された梁を含む構面内に前記門型フレームを配置し、前記各補剛柱の外側側面と前記各柱の内側側面とを接着するとともに、前記補剛梁の上面と前記梁の下面とを接着したものである。
【００１４】
また、本発明に係る増床ユニットの取付け構造は、前記柱と前記梁との接合部及び前記補剛柱と前記補剛梁との接合部にそれらの接合部が両側方から挟み込まれるようにして一対の構造用合板を接着したものである。
【００１５】
本発明に係る増床ユニット及びその取付け構造においては、増設床部及び腰壁部からなる下部ユニット本体に上部ユニット本体を連結して増床ユニットとしたものであり、腰壁部は、構造用合板を用いて構成してある。
【００１６】
構造用合板は、「合板のうち、建築物の構造耐力上主要な部分に使用するもの」として、日本農林規格（ＪＡＳ）で定められている通り、一般的には耐力壁を用途とするものであって、大きなせん断剛性とせん断耐力を有する。
【００１７】
そのため、上部ユニット本体の鉛直荷重は、構造用合板によって確実に支持される。
【００１８】
建物躯体に対する増床ユニットの突出形状は任意である。例えば、２枚の腰壁部材を縁部同士で突き合わせて腰壁部を構成することにより、建物躯体から三角形状に突出させる、３枚の腰壁部材をコの字状に接合して腰壁部を構成することにより、建物躯体から矩形状に突出させる、多数の腰壁部材を折れ曲がり状に接合して腰壁部を構成することにより、建物躯体から多角形状に突出させる、湾曲状の腰壁部材で腰壁部を構成することにより、建物躯体から円弧状に突出させる等の形態が考えられる。
【００１９】
上部ユニット本体には、アルミサッシにさまざまな種類の窓を組み込んだものが含まれる。
【００２０】
構造用合板を用いて構成する限り、腰壁部の構成は任意であって、例えば、２４〜３５ｍｍ程度の厚物の構造用合板を単独で、あるいはそれらを直接貼り合わせて構成することも可能であるが、軸組の少なくとも一方の側に構造用合板を貼り付けることで腰壁部を構成することも可能である。
【００２１】
このような増床ユニットを建物躯体に取り付ける方法は任意であるが、一対の補剛柱及びそれらの頂部に架け渡された補剛梁からなる門型フレームの補剛柱に下部ユニット本体を構成する腰壁部の建物側縁部を接合し、かかる門型フレームを介して建物躯体に取り付けるようにしたならば、増床ユニットの荷重を門型フレームを介して建物躯体に確実に伝達させることが可能となる。
【００２２】
門型フレームを建物躯体に取り付けるには、建物躯体を構成する一対の柱及びそれらの頂部に架け渡された梁を含む構面内に門型フレームを配置し、各補剛柱の外側側面と各柱の内側側面とを接着するとともに、補剛梁の上面と梁の下面とを接着する。
【００２３】
このようにすると、増床ユニットは、門型フレームを介して建物躯体に強固に固定されることとなり、かくして二階への取付けが可能になるとともに、一階への取付けの際に基礎を増設する必要もなくなる。
【００２４】
加えて、門型フレームは、接着によって建物躯体を構成する柱梁に強固に接合され、二重柱及び二重梁からなるフレーム構成となるため、建物躯体に作用する水平地震力に対して耐力壁と同等の機能を発揮し、かくして、増床工事のために既存の壁を取り除いたとしても、既存壁と同等又はそれ以上の耐震性を建物に付与することとなる。
【００２５】
ここで、柱と梁との接合部及び補剛柱と補剛梁との接合部にそれらの接合部が両側方から挟み込まれるようにして一対の構造用合板を接着したならば、門型フレームは、半剛接フレームあるいは剛接フレームに近い構造となって水平方向の剛性及び強度がさらに増加し、建物の耐震性が飛躍的に向上する。
【発明を実施するための最良の形態】
【００２６】
以下、本発明に係る増床ユニット及びその取付け構造の実施の形態について、添付図面を参照して説明する。なお、従来技術と実質的に同一の部品等については同一の符号を付してその説明を省略する。
【００２７】
（第１実施形態）
【００２８】
図１は、本実施形態に係る増床ユニットを示した図であり、(a)は正面図、(b)はＡ−Ａ線方向から見た底面図（見上げ図）、(c)はＢ−Ｂ線方向から見た側面図である。これらの図でわかるように、本実施形態に係る増床ユニット１は、上部ユニット本体３と、該上部ユニット本体の下方に配置された下部ユニット本体２とを備える。
【００２９】
上部ユニット本体３は、建物側にて対向配置された一対の縦枠４ｂ，４ｂと屋外側にて対向配置された一対の屈曲状縦枠４ｃ，４ｃの脚部を横枠４ｄでそれぞれつなぎ、屈曲状縦枠４ｃ，４ｃの斜め部分で挟まれた矩形傾斜領域に固定窓５ａを、鉛直部分で挟まれた矩形領域に引違い窓５ｂを、縦枠４ｂ、屈曲状縦枠４ｃ及び横枠４ｄで囲まれた台形領域に一対の固定窓５ｃ，５ｃをそれぞれ取り付けて構成してある。なお、図１(c)の反対側側面は、同図と対称に現れるため、これを省略した。
【００３０】
固定窓５ａ、引違い窓５ｂ及び固定窓５ｃは例えば複層ガラスで構成することができる。
【００３１】
下部ユニット本体２は、矩形状の増設床部８と、該増設床部の屋外側周縁のうち、側方の周縁に立設された一対の腰壁部材９ａ，９ａ、及び正面の周縁に立設された腰壁部材９ｂとからなる腰壁部とで構成してあり、該腰壁部は、全体としてコの字状の水平断面をなす。
【００３２】
ここで、腰壁部材９ａは、三段に組まれた軸組６ａの屋外側側面に構造用合板１０を、室内側側面に構造用合板１１をそれぞれ貼り付けて構成してあるとともに、腰壁部材９ｂは、二段に組まれた軸組６ｂの屋外側側面に構造用合板１０を、室内側側面に構造用合板１１をそれぞれ貼り付けて構成してある。また、増設床部８は、梯子状に組まれた軸組７の上面に構造用合板１２を貼り付けて構成してある。
【００３３】
構造用合板１０〜１２は、「合板のうち、建築物の構造耐力上主要な部分に使用するもの」として、日本農林規格（ＪＡＳ）で定められているものから適宜選択し、例えば厚みが１２．５ｍｍの合板を使用するのがよい。
【００３４】
増床ユニット１は例えば、上部ユニット本体３を工場製作して現場に搬入するとともに、該上部ユニット本体３の幅や出幅（奥行き）あるいは水平断面形状に合わせて下部ユニット本体２を現場で製作し、次いで、下部ユニット本体２を構成する腰壁部材９ａ，９ａ及び腰壁部材９ｂの上縁を上部ユニット本体３の下縁に連結すればよい。
【００３５】
増床ユニット１を建物躯体に取り付ける際には、公知の取付け方法を選択することが可能である。例えば、建物躯体が軸組である場合には、上部ユニット本体３の縦枠４ｂ，４ｂを、建物躯体の柱に釘等で固定するとともに、下部ユニット本体２を構成する腰壁部材９ａ，９ａの建物側縁部を建物躯体の柱に固定すればよい。
【００３６】
以上説明したように、本実施形態に係る増床ユニット１によれば、増設床部８の屋外側周縁に全体断面がコの字状をなす腰壁部材９ａ，９ａ及び腰壁部材９ｂを立設するとともに、腰壁部材９ａを、軸組６ａの屋外側側面と室内側側面に構造用合板１０，１１をそれぞれ貼り付けて構成したので、上部ユニット本体３は、構造用合板１０，１１の高い面内剛性によって屋外側への倒れが生じることなく、該構造用合板を介して建物躯体に確実に支持される。
【００３７】
そのため、増床ユニット１を建物の二階にも設置することが可能になるとともに、建物の一階に設置する場合においては、基礎を増設する必要がなくなる。
【００３８】
本実施形態では、厚さ１２．５ｍｍの構造用合板を軸組の両面に貼り付けた例を説明したが、本発明に係る腰壁部は、かかる構成に限定されるものではなく、例えば、２４〜３５ｍｍ程度の構造用合板を単独で、あるいはそれらを直接貼り合わせて腰壁部を構成することも可能である。
【００３９】
（第２実施形態）
【００４０】
次に、第２実施形態について説明する。なお、上述の実施形態と実質的に同一の部品等については同一の符号を付してその説明を省略する。
【００４１】
図２は、本実施形態に係る増床ユニットの取付け構造２１を示した正面図、図３は、図２のＣ−Ｃ線方向から見た底面図（見上げ図）、図４は、図２のＤ−Ｄ線に沿う鉛直断面図である。
【００４２】
これらの図でわかるように、本実施形態に係る増床ユニットの取付け構造２１は、増床ユニット１を、一対の補剛柱２３，２３及びそれらの頂部に架け渡された補剛梁２４からなる門型フレーム２２を介して建物躯体に取り付けてなる。
【００４３】
すなわち、増床ユニットの取付け構造２１は、増床ユニット１の下部ユニット本体２を構成する腰壁部材９ａの建物側縁部を、門型フレーム２２を構成する一対の補剛柱２３，２３にそれぞれ接合するとともに、建物躯体を構成する一対の柱２５，２５及びそれらの頂部に架け渡された梁２６を含む構面内に門型フレーム２２を配置し、補剛柱２３，２３の外側側面と柱２５，２５の内側側面とをそれぞれ接着するとともに、補剛梁２４の上面と梁２６の下面とを接着してなる。
【００４４】
ここで、柱２５と梁２６との接合部及び補剛柱２３と補剛梁２４との接合部には、それらの接合部が両側方から挟み込まれるようにして一対の構造用合板２８，２８を接着してある。
【００４５】
上述した増床ユニットの取付け構造２１を施工するには、まず、建物躯体の柱位置や梁位置を考慮して増床ユニット１及び門型フレーム２２を製作する。
【００４６】
すなわち、柱２５，２５の内法寸法はＷとなり、柱２５が立設されている梁２７の上面から梁２６の下面までの内法寸法はＨとなるので、門型フレーム２２もこれに合わせて、幅Ｗで高さＨとなるように製作する。
【００４７】
次に、柱２５，２５及び梁２６，２７で囲まれた既存の壁を解体撤去する。
【００４８】
次に、既存壁を撤去した結果として生じた開口部に門型フレーム２２を配置し、補剛柱２３，２３の外側側面と柱２５，２５の内側側面とをそれぞれ接着するとともに、補剛梁２４の上面と梁２６の下面とを接着する。
【００４９】
門型フレーム２２への増床ユニット１の取付けは、建物躯体に門型フレーム２２を取り付ける前に行ってもよいし、取付け後に行ってもよい。また、場合によっては、両者を同時進行で行ってもかまわない。
【００５０】
最後に、柱２５と梁２６との接合部及び補剛柱２３と補剛梁２４との接合部に一対の構造用合板２８，２８を接着し、該接合部を構造用合板２８，２８で挟み込む。
【００５１】
なお、増設床部８は、図４に示すように既存床４１、例えば二階床の拡張領域となるため、既存床４１と同じ仕上げ材で仕上げ工事を行うことが考えられる。
【００５２】
以上説明したように、本実施形態に係る増床ユニットの取付け構造２１によれば、増床ユニット１は、門型フレーム２２を介して建物躯体に強固に固定されるとともに、門型フレーム２２と建物躯体の柱２５及び梁２６とが全体として二重柱及び二重梁からなるフレームを構成する。
【００５３】
そのため、増床ユニット１を取り付けた箇所の剛性が大幅に向上し、張出梁を用いずとも二階の増床が可能になるとともに、一階を増床する場合においても基礎を増設する必要がなくなる。
【００５４】
加えて、門型フレーム２２は、接着によって建物躯体を構成する柱２５，２５及び梁２６に強固に接合されるため、建物躯体の柱２５及び梁２６と合わせて、二重柱及び二重梁からなるフレームを構成する。
【００５５】
そのため、門型フレーム２２は、建物躯体に作用する水平地震力に対して耐力壁と同等の機能を発揮し、かくして、増床工事のために既存の壁を取り除いた部分が必然的に開口部となったとしても、既存壁と同等又はそれ以上の耐震性を建物に与えることが可能となる。
【００５６】
また、本実施形態に係る増床ユニットの取付け構造２１によれば、柱２５と梁２６との接合部及び補剛柱２３と補剛梁２４との接合部に一対の構造用合板２８，２８を接着し、該接合部を構造用合板２８，２８で挟み込むようにしたので、門型フレーム２２は、半剛接フレームあるいは剛接フレームに近い構造となって水平方向の剛性及び強度がさらに増加し、建物の耐震性を大幅に向上させることが可能となる。
【００５７】
本実施形態では、柱２５と梁２６との接合部及び補剛柱２３と補剛梁２４との接合部に一対の構造用合板２８，２８を接着するようにしたが、水平方向のせん断剛性を十分に確保できるのであれば、構造用合板２８，２８を省略してもかまわない。
【図面の簡単な説明】
【００５８】
【図１】本実施形態に係る増床ユニットを示した図であり、(a)は正面図、(b)はＡ−Ａ線方向から見た底面図（見上げ図）、(c)はＢ−Ｂ線方向から見た側面図。
【図２】本実施形態に係る増床ユニットの取付け構造２１を示した正面図。
【図３】図２のＣ−Ｃ線方向から見た底面図（見上げ図）。
【図４】図２のＤ−Ｄ線に沿う鉛直断面図。
【符号の説明】
【００５９】
１                            増床ユニット
２                            下部ユニット本体
３                            上部ユニット本体
６ａ，６ｂ，７                軸組
８                            増設床部
９ａ，９ｂ                    腰壁部材（腰壁部）
１０，１１，１２              構造用合板
２２                          門型フレーム
２３                          補剛柱
２４                          補剛梁
２５                          柱
２６，２７                    梁
２８                          構造用合板
【図１】
2010037738.tif 000003
【図２】
2010037738.tif 000004
【図３】
2010037738.tif 000005
【図４】
2010037738.tif 000006